(57)【特許請求の範囲】
【請求項１】
周囲を導電材により覆った部屋の一部に開口を設け、該開口を開閉可能な導電材を使用したドアを設け、該ドアにより前記開口を閉塞した状態で、ドアの外周縁部と前記開口の内周縁部とを導通させて、外部から部屋内への電磁波の進入も部屋内から外部への電磁波の漏洩も防止することができるようにした電磁シールド部屋におけるドア構造において、前記ドアによる前記開口の閉塞状態で、ドアの外周縁部と前記開口の内周縁部とを対向させるとともに、前記ドアの開放時に前記開口側に面する表面板が少なくとも導電材として構成され、該表面板の外周囲には連続した溝条が設けられ、該溝条の底面には、該溝条の両内側面と離間して対向する弾性変形可能な両側片を有する外側に開口した断面略コ字形の導電材からなる受部が設けられ、該受部における両側片の互いが対向する内側面には、弾性変形可能な導電材からなる緩衝材が設けられ、更に前記開口にはドア側に向けて前記部屋の導電材に導通する導電材からなる嵌合片が突設されており、該嵌合片の両側と前記緩衝材の各々とが当接していることを特徴とする電磁シールド部屋におけるドア構造。
【請求項２】
前記緩衝材が、スポンジ状の芯材を導電性ファブリックで覆ったものである請求項１に記載の電磁シールド部屋におけるドア構造。
【請求項３】
前記受部における両側片の略中央部に屈曲部を形成し、該屈曲部から先を外方に向けて互いが遠ざかる方向に拡開させ、前記屈曲部を挟んだ基側と先側に各々別の緩衝材を内設した請求項１または２に記載の電磁シールド部屋におけるドア構造。
【請求項４】
前記緩衝材が、長手方向に並ぶ多数の板バネ材である請求項１に記載の電磁シールド部屋におけるドア構造。
【発明の詳細な説明】
【技術分野】
【０００１】
本発明は、周囲を導電材により覆った部屋の一部に開口を設け、該開口を開閉可能な導電材を使用したドアを設け、該ドアにより前記開口を閉塞した状態で、ドアの周縁部と前記開口の周縁部とを導通させて、外部から部屋内への電磁波の進入も部屋から外部への電磁波の漏洩も防止することができるようにした電磁シールド部屋におけるドア構造に関する。
【背景技術】
【０００２】
外部から部屋内への電磁波の進入や部屋から外部への電磁波の漏洩を防止するようにした従来の電磁シールド部屋におけるドア構造は、導電材により覆った部屋の一部に開口を設けるとともに、この開口を開閉する導電材を使用したドアを設け、開口を構成する上枠材と左右の竪枠材の外周面に導電性のシールドパッキンを装着し、ドアの下部に上下方向に移動可能な導電性のシールドパッキンを装着した閉鎖部材を取り付けて、ドアにより開口を閉塞した時に、ドアの外周面とシールドパッキンと当接させた上で、押圧機構によりドアの外周面とシールドパッキンを押し付けて密着させることで、電磁波の進入を防止していた（例えば、特許文献１参照）。
【０００３】
【特許文献１】特開平１１−１０１０７４号公報（段落００１７、００１８及び００２４、図２、図４）
【発明の開示】
【発明が解決しようとする課題】
【０００４】
しかしながら、特許文献１における電磁シールド部屋におけるドア構造は、ドアの外周面とシールドパッキンを確実に密着させるために押圧機構が必要でコスト高になるばかりでなく、押圧機構の操作をドアの開閉のために常に行わなければならず操作に手間が掛かり、しかもドア閉塞時に押圧操作を怠ると電磁波が侵入する虞があった。また、シールドパッキンを長時間閉塞しているためその劣化が激しく長期に渡り導電性を確保することに難点があった。
【０００５】
本発明は、このような問題点に着目してなされたもので、ドアに強い押し付け力を与える押圧機構を設ける必要がなくかつ短時間で開閉でき、しかも長期に渡り導電性を確保して電磁波の侵入を確実に防止することができる電磁シールド部屋におけるドア構造を提供することを目的とする。
【課題を解決するための手段】
【０００６】
上記課題を解決するために、本発明の請求項１に記載の電磁シールド部屋におけるドア構造は、周囲を導電材により覆った部屋の一部に開口を設け、該開口を開閉可能な導電材を使用したドアを設け、該ドアにより前記開口を閉塞した状態で、ドアの外周縁部と前記開口の内周縁部とを導通させて、外部から部屋内への電磁波の進入も部屋内から外部への電磁波の漏洩も防止することができるようにした電磁シールド部屋におけるドア構造において、前記ドアによる前記開口の閉塞状態で、ドアの外周縁部と前記開口の内周縁部とを対向させるとともに、前記ドアの開放時に前記開口側に面する表面板が少なくとも導電材として構成され、該表面板の外周囲には連続した溝条が設けられ、該溝条の底面には、該溝条の両内側面と離間して対向する弾性変形可能な両側片を有する外側に開口した断面略コ字形の導電材からなる受部が設けられ、該受部における両側片の互いが対向する内側面には、弾性変形可能な導電材からなる緩衝材が設けられ、更に前記開口にはドア側に向けて前記部屋の導電材に導通する導電材からなる嵌合片が突設されており、該嵌合片の両側と前記緩衝材の各々とが当接していることを特徴としている。
この特徴によれば、導電性を確実に維持するためにドアに強い押し付け力を与える付加装置の必要がないので、ドアの開閉に時間を要すことがないばかりでなく、部屋とドアの接触部材の早期交換の必要がなく、しかも安価に構築できる。
【０００７】
本発明の請求項２に記載の電磁シールド部屋におけるドア構造は、請求項１に記載の電磁シールド部屋におけるドア構造であって、前記緩衝材が、スポンジ状の芯材を導電性ファブリックで覆ったものであることを特徴としている。
この特徴によれば、ドアによって開口を閉塞状態とする時に、受部の両側片に設けた緩衝材間に嵌合片を軽い力で入れることができ、耐久性が向上すると共に、ドアと部屋との導電性も充分に確保することができる。
【０００８】
本発明の請求項３に記載の電磁シールド部屋におけるドア構造は、請求項１または２に記載の電磁シールド部屋におけるドア構造であって、前記受部における両側片の略中央部に屈曲部を形成し、該屈曲部から先を外方に向けて互いが遠ざかる方向に拡開させ、前記屈曲部を挟んだ基側と先側に各々別の緩衝材を内設したことを特徴としている。
この特徴によれば、ドアによって開口を閉塞状態とする時に、受部の両側片に設けた緩衝材間に嵌合片をより軽い力で入れることができ、かつ、各緩衝材と嵌合片との接触箇所が増えるため、ドアと部屋との導電性をより確実に確保することができる。
【０００９】
本発明の請求項４に記載の電磁シールド部屋におけるドア構造は、請求項１に記載の電磁シールド部屋におけるドア構造であって、前記緩衝材が、長手方向に並ぶ多数の板バネ材であることを特徴としている。
この特徴によれば、緩衝材を板バネ材で構成したので、安価でかつ製作が容易であり、ドアによって開口を閉塞状態とする時に、受部の両側片に設けた多数の板バネ材間に嵌合片を軽い力で入れることができるとともに、ドアと部屋との導電性も確実に確保することができる。
【発明を実施するための最良の形態】
【００１０】
本発明の実施例を以下に説明する。
【実施例１】
【００１１】
図１は、本発明の実施例１における電磁シールド部屋およびシールドドアの全体像を示す部分切り欠き斜視図であり、図２は、図１のＡ−Ａ断面図であり、図３は、図１のＢ−Ｂ断面図であり、図４（ａ）は、受部材の一部破断斜視図であり、図４（ｂ）は、シールドドアの溝条内に設けられた受部材の断面図であり、図５は、電磁シールド部屋の開口を閉塞するシールドドアが開放された状態を示す斜視図であり、図６は、シールドドアで開口を閉塞する過程を示す要部拡大断面図で、（ａ）は閉塞前の状態、（ｂ）は開口側の嵌合片に受部材が当接された状態、（ｃ）はシールドドアの閉塞状態を示す。
【００１２】
この電磁シールド部屋１は、主に病院に設置される生体検査部屋（心電図部屋・脳波部屋・筋電図部屋・誘発電位部屋・平衡機能部屋・聴力検査部屋・ＭＲＩ部屋）等に用いられ、外部からの電波（例えば、携帯電話・院内無線ＬＡＮおよび医用テレメータ等の無線システム）による医療機器の誤作動の発生を防止するために使用され、特に医療現場では電磁波が発生する機器および電磁波による影響を受けやすい機器とが混在しているとともに、近年では前述の携帯電話や無線のように発生源が移動して障害の原因が掴みにくい状況である。
【００１３】
そこで、図１に示されるように、外部からの電磁波を遮蔽するために電磁シールド部屋１が利用される。また、研究機関の実験部屋等で部屋内の電磁波を外部に漏出させない場合にも、同様に電磁シールド部屋１が利用される。この電磁シールド部屋１には、多層の内壁（本実施例では三層構造）が設けられており、部屋内１ａを覆う第一層として、仕上内装材２、第２層として、溶融亜鉛メッキしたシールド鋼板３、第三層として、電磁シールド部屋１を支える建築構造体４が用いられている。
【００１４】
電磁シールド部屋１には、通路９側に連通する縦長矩形の開口６が形成されるとともに、その近接位置に部屋内１ａの内部観察を兼ねた安全確保のための電磁波遮断機能を備えたシールド窓５が設置されている。この開口６にはシールドドア１０が複数のヒンジ１０ｂを介して取り付けられ、ノブ１０ａの操作によってシールドドア１０を通路９側に開閉可能になっている。このシールドドア１０には電波や磁気を遮断するシールド層が適用されている。以下、本実施例の説明において、図１で示した電磁シールド部屋１の通路９側を前方をとし、電磁シールド部屋１の部屋内１ａ側を後方として説明する。
【００１５】
尚、特に図示しないが、電磁シールド部屋１には隣接または近接して電源ラインフィルターを備えたフィルターボックスおよび絶縁トランスが設置され、溶融亜鉛メッキしたシールド鋼板３に接続されており、電磁シールド部屋１の外部および内部からシールド鋼板３に導電された電磁波が確実に遮断されるとともに、部屋内１ａに設けられた照明等の電源線から発生するノイズを遮断する。つまり、部屋内１ａに設置される機器は外部からの電磁波の影響を受けず、電磁シールド部屋１の外部に設置される機器も部屋内１ａの機器からの電磁波の影響を受けない構成になっている。
【００１６】
次に、開口６およびシールドドア１０について具体的に説明する。図２および図３に示されるように、シールドドア１０が開口６に閉塞された状態においては、開口６の内周縁部７と、シールドドア１０の外周縁部１１とが互いに対向している。そして、開口６からシールドドア１０に向けて突出した導電性を有する嵌合片８がボルト２０で前述したシールド鋼板３を介して建築構造体４に強固に固定されている。
【００１７】
開口６を閉塞するシールドドア１０は、部屋内１ａ側に表面板１２ａを有する鋼板で成形された縦長矩形の後方扉部１２Ａと通路９側に外面板１２ｂを有する同じく鋼板で成形された前方扉部１２Ｂとを一体的に接合されており、この後方扉部１２Ａと前方扉部１２Ｂは鋼板の表面全てに溶融亜鉛メッキが施されている。後方扉部１２Ａの外周部近傍には、部屋側に開口する連続した溝条１３が形成されている。
【００１８】
尚、このシールドドア１０の閉塞時においては、シールドドア１０の前方扉部１２Ｂに設けられた鈎部１０ｃが、開口６側に形成された鈎受け凹部７ｂに係合してロックされ、シールドドア１０の安易な開放が阻止されている。特に図示しないが、電磁シールド部屋１は厳重に管理されており、シールドドア１０およびその近傍には別途セキュリティーの高いロック機構が設けられている。
【００１９】
次いで、受部材１５について図４（ａ）、図４（ｂ）に基づき具体的に説明する。受部材１５は導電性のある金属板が折り曲げて断面視略コ字状に成型され、両側に弾性変形可能な溝条１３の内側面１３ａから離間して対向するバネ製銅合金から成る側片１５Ａ，１５Ａと、この両側片１５Ａ，１５Ａに連接した底片１５Ｂを有している。側片１５Ａ，１５Ａの略中央部が屈曲されて屈曲部を構成し、この屈曲部の基側は垂直部１５ｃ，１５ｃを、屈曲部の先側は、両遊端の先が部屋内側に向かって互いに遠ざかる方向に拡開された拡開部１５ａ，１５ａを構成するように形成されている。
【００２０】
垂直部１５ｃ，１５ｃの互いに対向する内側面に沿って、断面視矩形の緩衝材１７，１７が各々設けられており、同様に拡開部１５ａ，１５ａの互いに対向する内側面に沿って、緩衝材１８，１８が各々設けられている。これら緩衝材１７，１８は内部に弾性力の有するウレタンスポンジの芯材１７ａ，１８ａが設けられ、その外周に導電性があり滑り性を備えた金属膜シート材からなる導電性ファブリック１７ｂ，１８ｂで無端状に覆われおり、この導電性ファブリック１７ｂ，１８ｂと、垂直部１５ｃおよび拡開部１５ａとが互いに各々導電可能に溶着されている。底片１５Ｂには、ボルト貫通孔１５ｂが所定間隔毎に複数形成されており、ボルト１９がボルト貫通孔１５ｂを介して溝条１３の底面１３ｂに形成されたボルト穴１３ｂ’に螺着され、受部材１５が固定されている。
【００２１】
図５および図６（ａ）に示されるように、開口６からシールドドア１０が開放され、部屋内１ａと通路９が連通された状態から、ノブ１０ａ等を利用して再度シールドドア１０を開口６に向けて移動していくと、シールドドア１０はヒンジ１０ｂの上下軸を中心にしてドア外周縁部１０ａが開口内周縁部７に向かって移動する。
【００２２】
そしてシールドドア１０が開口６に向かって更に移動すると、図６（ｂ）に示されるように、仕上内装材２のシールドドア１０側に突出した部分を導電性の金属で覆った嵌合片８の外側面８ａ先端が一方の緩衝材１８に当接され、導電性ファブリック１８ｂに沿って受部材１５の中心に向けて案内されていく。このとき側片１５Ａが溝条１３の内側面１３ａから離間しているので、拡開部１５ａ，１５ａが嵌合片８に向けて拡開でき、嵌合片８の先端が円滑かつ確実に受部材１５内に案内される。嵌合片８の緩衝材１８への当接時には、スポンジ状の芯材１８ａの弾性力および側片１５Ａの弾性変形によって、嵌合片８の拡開部１５ａへの衝撃が避けられ、受部材１５および嵌合片８の耐久性が向上すると共に、側片１５Ａには常に内側方向への弾性復帰力（バネ力）が付与されることになり、両者の密着性を高めることができる。
【００２３】
シールドドア１０が完全に閉塞状態になると、図６（ｃ）に示されるように、嵌合片８の先端が垂直部１５ｃ，１５ｃに設けられた緩衝材１７，１７間に挟持されるように案内され、嵌合片８の先端近傍の外側面８ａ，８ａと導電性ファブリック１７ｂ，１８ｂとが密着して嵌合されることにより、電磁シールド部屋１の部屋内１ａが電磁波から遮断される。また、緩衝材１７，１８と嵌合片８との嵌合により、開口６とシールドドア１０の間に隙間を生じさせることがなく、気密性が充分に確保されるとともに、嵌合片８が独立して変位可能な２対の緩衝材１７，１８により当接しているので、シールドドア１０と電磁シールド部屋１との導電性をより確実に確保することができる。
【００２４】
特に図示しないが、シールドドア１０を開放する過程では、前述の嵌合片８と受部材１５との嵌合過程とは逆の過程で両部材８，１５の嵌合状態が解除され、開口６からシールドドア１０の開放が行われるとともに、受部材１５の側片１５Ａ，１５Ａの弾性復帰力により、嵌合前の状態に復元される。
【００２５】
そしてシールドドア１０の開閉が繰り返し行われた場合においても、側片１５Ａ，１５Ａには、弾性変形可能な金属板が用いられているので、受部材１５に衝撃が加わることがなく、長期に使用が可能であり、しかもシールドドア１０の押し付け装置を備える必要がないので、シールドドア１０の開閉に時間を要すことが避けられ、しかもコストも安価に抑えることができる。また、芯材１７ａ，１８ａが導電性ファブリック１７ｂ，１８ｂで覆われ、導電性を有する側片１５Ａ，１５Ａに溶着されているので、導電材であるシールド鋼板３に接続される嵌合片８と、後方扉部１２Ａとの導電性が受部材１５を介して確保されるので、外部から部屋内１ａへの電磁波の侵入と部屋内１ａから外部への電磁波の漏洩とを確実に防止することができる。
【００２６】
尚、上述した本実施例においては、電磁シールド部屋１に対するシールドドア１０の取り付けが通路９側に開放される外開き仕様となっているが、本発明はこれに限定されるものではなく、特に図示しないが例えば変形例として、このシールドドア１０が部屋内１ａに向けて押し込むことで開放される内開き仕様としてもよい。この場合、実施例１とは逆に、嵌合片を部屋内１ａに向けて突設し、シールドドア１０の開口側の前方扉部の外周囲に溝条を設け、この溝条内に嵌合片を嵌合可能な受部材を設けることで、シールドドアを内開き仕様に仕立て、外部から部屋内１ａへの電磁波の侵入と部屋内１ａから外部への電磁波の漏洩とを確実に防止する。
【実施例２】
【００２７】
次に、本発明の実施例２を図７に基づいて説明する。図７（ａ）は、本発明の実施例２における受部材の一部破断斜視図であり、図７（ｂ）は、シールドドアの閉塞過程に開口側の嵌合片に受部材が当接された状態を示す要部拡大断面図であり、図７（ｃ）は、シールドドアの閉塞完了時における嵌合片と受部材の状態を示す要部拡大断面図である。尚、以下の実施例２において前述の実施例１と同様の構造部分に関しては、同一の符号を付すことにより詳細な説明は省略することにする。
【００２８】
実施例２の受部材２１について説明する。受部材２１は導電性のある金属板が折り曲げて断面視略コ字状に成型され、図７（ｃ）に示すように、両側に弾性変形可能な溝条１３の内側面１３ａから離間して対向するバネ製銅合金から成る側片２２，２２と、この両側片２２，２２に連接した底片２３を有している。そして、互いに対向する側片２２，２２の内側面には、それぞれ導電性の金属板により折り曲げ形成された緩衝材である板バネ材２５，２５が、側片２２，２２の長手方向に沿って導電可能に設けられている。底片２３にはボルト貫通孔２３’が形成され、ボルト１９がボルト貫通孔２３’を介して溝条１３の底面１３ｂに形成されたボルト穴１３ｂ’に螺着され、受部材２１が固定されている。
【００２９】
さらに、板バネ材２５，２５は側片２２，２２に接続される取付片２５ｂ，２５ｂと、図７（ａ）に示すように、弾性変形可能に互いに向き合う断面視半円弧状に湾曲形成された弾性片２５ａ，２５ａとで構成されている。弾性片２５ａ，２５ａは側片２２，２２の長手方向に沿って多数に分割され、この分割された弾性片２５ａ，２５ａ毎に個々に弾性バネ力が付与され、弾性片２５ａ，２５ａの遊端側は取付片２５ｂ，２５ｂに対して可動であり、所要量の移動を取付片２５ｂ，２５ｂの下部折り返し部２５ｃで保持している。そしてシールドア閉塞時には、図７（ｃ）に示されるように、嵌合片８の外側面８ａ，８ａが弾性片２５ａ，２５ａに摺接され、側片２２，２２の弾性力により保持される。
【００３０】
以上の説明により実施例２では、両側片２２，２２の内側に弾性片２５ａ，２５ａが設けられたことで、シールドドア１０の開閉過程において、嵌合片８が弾性片２５ａ，２５ａに沿って円滑に案内されるとともに、一時的に受部材２１が嵌合片８と強く当接しても弾性片２５ａ，２５ａの遊端側が取付片２５ｂ，２５ｂに沿って移動できるので、衝撃が吸収でき、弾性片２５ａ，２５ａと嵌合片８の嵌合解除時に、弾性片２５ａ，２５ａが元の位置に復帰できる。
【００３１】
しかも、弾性片２５ａ，２５ａが多数に分割され、弾性バネ力が調整され均等に嵌合片８に加えられることから、受部材２１の両側片２２，２２に設けた多数の板バネ材２５，・・・間に嵌合片８の衝撃を吸収しながら嵌入できとともに、シールドドア１０と開口６側との導電性も確実に確保される。
【００３２】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、スポンジ状の芯材１７ａ，１８ａを導電性ファブリック１７ｂ，１８ｂで覆うことで、緩衝材１７，１８に導電性を備え側片１５Ａ，１５Ａへの伝導性を向上したことから好ましいが、本発明はこれに限定されるものではなく、導電性ファブリックを設けることなく、スポンジ状の芯材内に導電性に優れた金属粉を含有させることで、導電性と緩衝性を兼ね備えた緩衝材を構成しても良い。
【００３３】
また、上記実施例では、側片１５Ａ，１５Ａを略中間部で屈曲して拡開部１５ａ，１５ａを設けているが、屈曲させずに案内片を別途、側片１５Ａ，１５Ａの先端側に設けるようにしても良い。
【００３４】
また、上記実施例では、シールドドア１０の部屋内１ａ側の表面板１２ａに導電材を適用したが、通路９側の外面板１２ｂに導電材を用いても良いことは言うまでもない。
【図面の簡単な説明】
【００３５】
【図１】本発明の実施例１における電磁シールド部屋およびシールドドアの全体像を示す部分切り欠き斜視図である。
【図２】図１のＡ−Ａ断面図である。
【図３】図１のＢ−Ｂ断面図である。
【図４】（ａ）は、受部材の一部破断斜視図であり、（ｂ）は、シールドドアの溝条内に設けられた受部材の断面図である。
【図５】電磁シールド部屋の開口を閉塞するシールドドアが開放された状態を示す斜視図である。
【図６】シールドドアで開口を閉塞する過程を示す要部拡大断面図で、（ａ）は閉塞前の状態、（ｂ）は開口側の嵌合片に受部材が当接された状態、（ｃ）はシールドドアの閉塞状態を示す。
【図７】（ａ）は、本発明の実施例２における受部材の一部破断斜視図であり、（ｂ）は、シールドドアの閉塞過程に開口側の嵌合片に受部材が当接された状態を示す要部拡大断面図であり、（ｃ）は、シールドドアの閉塞完了時における嵌合片と受部材の状態を示す要部拡大断面図である。
【符号の説明】
【００３６】
１                電磁シールド部屋
１ａ              部屋内（部屋）
２                仕上内装材
３                溶融亜鉛メッキしたシールド鋼板（導電材）
４                電磁シールド部屋を支える建築構造体
５                シールド窓
６                開口
７                開口内周縁部
７ｂ              鈎受け凹部
８                嵌合片（導電材）
８ａ              外側面
９                通路
１０              シールドドア
１０ａ            ノブ
１０ｂ            ヒンジ
１０ｃ            鈎部
１１              ドア外周縁部
１２Ａ            後方扉部
１２ａ            表面板（導電材）
１２Ｂ            前方扉部
１２ｂ            外面板（導電材が好ましい）
１３              溝条
１３ａ            内側面
１３ｂ            底面
１３ｂ’          ボルト穴
１５              受部材（導電材からなる受部）
１５Ａ            弾性変形可能な側片
１５ａ            拡開部（受部の先側）
１５Ｂ            底片
１５ｂ            ボルト貫通孔
１５ｃ            垂直部（受部の基側）
１７、１８        緩衝材
１７ａ、１８ａ    スポンジ状の芯材
１７ｂ、１８ｂ    導電性ファブリック（導電材）
１９、２０        ボルト
２１              受部材（導電材からなる受部）
２２              弾性変形可能な側片
２３              底片
２３’            ボルト貫通孔
２５              板バネ材（導電性を備えた緩衝材）
２５ａ            弾性片
２５ｂ            取付片
２５ｃ            折り返し部
【図１】
0004666502.tif 000002
【図２】
0004666502.tif 000003
【図３】
0004666502.tif 000004
【図４】
0004666502.tif 000005
【図５】
0004666502.tif 000006
【図６】
0004666502.tif 000007
【図７】
0004666502.tif 000008